(57)【要約】【課題】放電セルのチラツキや不灯などの品質的な問題や表示画質の低下を招くことなくデータ電力の削減を実現できるＡＣ型ＰＤＰを提供する。【解決手段】走査電極及び維持電極で対をなすストライプ状の複数の表示電極が誘電体層及び保護層で覆われる前面側基板と、表示電極と直交する方向に誘電体層で覆われた複数のストライプ状のデータ電極２７が形成された背面側基板２９とが、微小な放電空間を挟んで対向配置される構造のＡＣ型ＰＤＰにおいて、背面側基板２９に形成されるデータ電極２７を覆う誘電体層が、ストライプ状に隣り合うデータ電極２７の間を埋めるように並行に形成される低誘電率誘電体層３３ａと、データ電極２７及び低誘電率誘電体層３３ａの上に形成される高誘電率誘電体層３３ｂとを備える構成である。【選択図】  図１
2005019011.tif 000002
【特許請求の範囲】
【請求項１】
走査電極及び維持電極で対をなすストライプ状の複数の表示電極を形成するとともにその表示電極を前面側誘電体層及び保護層で覆った前面側基板と、前記表示電極と直交する方向に形成され、背面側誘電体層で覆われた複数のストライプ状のデータ電極を有する背面側基板とを備え、前記前面側基板と前記背面側基板とを微小な放電空間を挟んで対向配置し、かつ前記放電空間に放電ガスが充填されたＡＣ型プラズマディスプレイパネルにおいて、
前記背面側基板に形成される前記データ電極を覆う前記背面側誘電体層は、隣り合うデータ電極の間を埋めるように並行に形成される第１の誘電体層と、前記データ電極及び前記第１の誘電体層の上に形成される第２の誘電体層とを備えたことを特徴とするＡＣ型プラズマディスプレイパネル。
【請求項２】
前記背面側基板上に第３の誘電体層を形成し、かつ前記第１の誘電体層と前記第３の誘電体層が同じ材料であることを特徴とする請求項１に記載のＡＣ型プラズマディスプレイパネル。
【請求項３】
前記第１の誘電体層が誘電率の低い材料で形成され、前記第２の誘電体層が誘電率の高い材料で形成されることを特徴とする請求項１に記載のＡＣ型プラズマディスプレイパネル。
【請求項４】
走査電極及び維持電極で対をなすストライプ状の複数の表示電極を形成するとともにその表示電極を前面側誘電体層及び保護層で覆った前面側基板と、前記表示電極と直交する方向に形成され、背面側誘電体層で覆われた複数のストライプ状のデータ電極を有する背面側基板とを備え、前記前面側基板と前記背面側基板とを微小な放電空間を挟んで対向配置し、かつ前記放電空間に放電ガスが充填されたＡＣ型プラズマディスプレイパネルの製造方法において、
前記背面側基板上に複数のストライプ状の第１の誘電体層を形成する工程と、
複数のストライプ状の前記第１の誘電体層の間を埋めるように並行に前記データ電極を形成する工程と、
前記データ電極及び前記第１の誘電体層とが隣り合う両層の上に第２の誘電体層を形成する工程とを有することを特徴とするＡＣ型プラズマディスプレイパネルの製造方法。
【請求項５】
前記背面側基板上に第３の誘電体層を形成し、かつ前記第１の誘電体層と前記第３の誘電体層が同じ材料であることを特徴とする請求項４に記載のＡＣ型プラズマディスプレイパネルの製造方法。
【請求項６】
前記第１の誘電体層が誘電率の低い材料で形成され、前記第２の誘電体層が誘電率の高い材料で形成されることを特徴とする請求項４に記載のＡＣ型プラズマディスプレイパネルの製造方法。
【発明の詳細な説明】
【０００１】
【発明の属する技術分野】
本発明は、ガス放電によって発生した紫外線によって蛍光体を励起、発光させ、画像表示するプラズマディスプレイパネル（以下、ＰＤＰと呼ぶ）に関し、特にＡＣ（交流）型ＰＤＰのパネル構造及びその製造方法に関する。
【０００２】
【従来の技術】
ＰＤＰは、ガス放電によって発生した紫外線によって蛍光体を励起、発光させ、画像表示するディスプレイである。その放電の形成手法からＡＣ（交流）型とＤＣ（直流）型に分類することができる。
【０００３】
ＡＣ型ＰＤＰは、輝度、発光効率、寿命の点でＤＣ型より優れているといわれている。さらに、ＡＣ型ＰＤＰの中でも反射型面放電タイプは輝度、発光効率の点で特に際だって優れた特性を示すとされ、最近ではこのタイプのＡＣ型ＰＤＰが最も一般的である。
【０００４】
次に、従来のＡＣ型ＰＤＰについて、図３及び図４を用いて説明する。図３（ａ）は従来のＡＣ型ＰＤＰのパネル構造を説明する部分破断斜視図であり、図３（ｂ）は従来のＡＣ型ＰＤＰの電極配列図、図４は従来のＡＣ型ＰＤＰを駆動するためのタイミングチャートを一例で示している。
【０００５】
図３（ａ）において、ガラス基板などの透明な前面側基板２１上には、放電ギャップをあけて平行に対向する走査電極２２と維持電極２３とで対をなすストライプ状の表示電極２４が複数対形成されている。この走査電極２２及び維持電極２３は、それぞれＩＴＯや酸化スズ（ＳｎＯ２）などからなる透明電極２２ａ、２３ａと、この透明電極２２ａ、２３ａに電気的に接続された銀（Ａｇ）の厚膜やアルミニウム（Ａｌ）薄膜、クロム／銅／クロム（Ｃｒ／Ｃｕ／Ｃｒ）の積層薄膜によるバス電極２２ｂ、２３ｂとから構成されている。また、前面側基板２１には、複数対の電極群を覆うように低融点ガラスからなる誘電体層２６が形成され、その誘電体層２６上には酸化マグネシウム（ＭｇＯ）からなる保護層２５が形成され、これによりフロントパネルＦＰが構成されている。
【０００６】
また、前面側基板２１に対向配置される背面側基板２９上には、前面側基板２１上の走査電極２２及び維持電極２３からなる表示電極２４と直交する方向に、誘電体層３３で覆われた複数のストライプ状のデータ電極２７が形成されている。このデータ電極２７間の誘電体層３３上には、データ電極２７と平行にストライプ状の複数の隔壁２８が配置され、この隔壁２８間の側面及び誘電体層３３の表面に蛍光体層３０、３１、３２が設けられ、これによりバックパネルＢＰが構成されている。
【０００７】
これらのフロントパネルＦＰとバックパネルＢＰとは、走査電極２２及び維持電極２３からなる表示電極２４とデータ電極２７とが直交するように、微小な放電空間３５を挟んで対向配置されるとともに、周囲が封止され、そして前記放電空間３５には、放電ガスとして、ネオン（Ｎｅ）とキセノン（Ｘｅ）の混合ガスがおよそ６６．５ｋＰａ（５００Ｔｏｒｒ）の圧力で充填されている。また、放電空間３５は、隔壁２８によって複数の区画に仕切ることにより、表示電極２４とデータ電極２７との交点が位置する複数の放電セルが設けられ、その各放電セルには、放電による紫外線で赤色、緑色及び青色にそれぞれ励起、発光する蛍光体層３０、３１、３２が一色ずつ順次配置されて、ＰＤＰを構成している。
【０００８】
また、図３（ｂ）にこのＰＤＰの電極配列図を示すように、電極はｍ列×ｎ行のマトリックス構成であり、列方向にはｍ列のデータ電極Ｄ１〜Ｄｍが配列されており、行方向にはｎ行の走査電極ＳＣＮ１〜ＳＣＮｎ及び維持電極ＳＵＳ１〜ＳＵＳｎが配列されており、電極間に数十ｋＨｚ〜数百ｋＨｚのＡＣ電圧を印加して放電空間に放電を発生させ、励起された放電ガス中のキセノン（Ｘｅ）原子からの紫外線によって蛍光体層３０、３１、３２を励起することにより可視光を発生させて表示動作を行っている。
【０００９】
そして、このＰＤＰにおいては、１フィールド期間を、初期化期間、書き込み期間、維持期間、消去期間を有する複数のサブフィールドで構成し、各サブフィールドでの維持放電を決定する維持パルス数を制御するとともに、このサブフィールドの組み合わせで階調の表示を行うものである。
【００１０】
この駆動動作の一例をＡＣ型ＰＤＰの駆動波形の例を示すタイミングチャートである図４により説明すると、まず初期化期間に、走査電極ＳＣＮ１〜ＳＣＮｎに初期化パルスを印加し、パネルの放電セル内の壁電荷を初期化する。次に、書き込み期間において、１行目の表示を行うため、１行目の走査電極ＳＣＮ１に走査パルス電圧を印加し、放電セルに対応するデータ電極群Ｄ１〜Ｄｍに書き込みパルス電圧を印加し、データ電極群Ｄ１〜Ｄｍと１行目の走査電極ＳＣＮ１との間に書き込み放電（アドレス放電）を起こし、誘電体層表面に壁電荷を蓄積し、１行目の書き込み動作（アドレス動作）を行う。このような書き込み動作を順次行い、Ｎ行目の書き込み動作が終了した時点で、１画面分の潜像が書き込まれる。
【００１１】
次に維持期間において、データ電極群Ｄ１〜Ｄｍを接地し、まず全ての維持電極群ＳＵＳ１〜ＳＵＳｎに維持パルス電圧を印加し、続いて全ての走査電極群ＳＣＮ１〜ＳＣＮｎに維持パルス電圧を印加し、続いて交互にこの動作を継続して維持パルス電圧を印加することにより、書き込み期間において書き込み動作が行われた放電セルにおいて維持放電の発光が継続して行われ、画面の表示が行われる。その後、消去期間において、幅の狭い消去パルスを印加することによって放電が発生し、壁電荷が消滅するため、消去動作が行われる。
【００１２】
このように、初期化期間、書き込み期間、維持期間、消去期間という一連の駆動方法により画像表示を行っている。
【００１３】
そして、このような従来のＡＣ型ＰＤＰにおいては、データ電極間の静電容量により、動作時にデータ電極間での充放電電力が消費電力の大きな割合を占めている。そこで、データ電極間の静電容量を制御してデータ電極間での充放電電力を削減するため、データ電極間距離を長くしたり、データ電極厚さを薄くする方法が提案されている。
【００１４】
さらに、従来のＡＣ型ＰＤＰにおいては、表示用の維持放電を行う維持電極と走査電極とが誘電体層を介して隣接配置されている構造を有しているため、維持電極と走査電極の両電極間にストレイキャパシティが存在し、このために電力損失が大きくなってしまう。このようなストレイキャパシティによる電力損失を抑えるために、図５に示すような構造のＡＣ型ＰＤＰも提案されている（例えば、特許文献１参照）。
【００１５】
図５は従来のＡＣ型ＰＤＰの別のパネル構造を説明する部分破断斜視図である。図５において、維持電極１２２、走査電極１２３を形成する一方の基板１２６側には、まず走査電極１２３のみを形成し、その上に誘電体層１３６を形成し、続いて、誘電体層１３６上に走査電極１２３と平行に維持電極１２２の幅よりも大きいストライプ状の絶縁体層１３７を形成し、絶縁体層１３７の上に維持電極１２２を形成して最後に維持電極１２２上にのみ再度誘電体層１３８を形成する構造である。この構造のＡＣ型ＰＤＰでは、もう一方の基板１２１のデータ電極１２７と維持電極１２２の距離が近接することになり、書込み放電を近接したデータ電極１２７と維持電極１２２間で行なうことで、ストレイキャパシティによる電力損失を抑えることができるというものである。
【００１６】
【特許文献１】
特開平３−２３３８３０号公報（第３頁、第３図）
【００１７】
【発明が解決しようとする課題】
しかしながら上述の従来のＰＤＰにおいては、データ電極の充放電電力が大きいためデータドライバーの発熱が大きくなるといった課題があった。これを解決するため、データ電圧を下げたり、アドレス回数を信号処理で下げたりすることが試みられているが、電力削減には有効であるが、チラツキや不灯などの品質的な問題や表示画質の低下といった別の新たな課題が生じていた。
【００１８】
そして、データ電極間距離を長くしたり、データ電極厚さを薄くすることによりデータ電極間の静電容量を制御してデータ電極間での充放電電力を削減する方法の場合、データ電極間距離を長くすることがデータ電極幅を狭くすることになり、書込電圧が高くなったり、誤放電が起きないマージンが狭くなったりするという課題が生じ、また、同様にデータ電極厚さを薄くする方法では、電極抵抗が大きくなり書込電圧が上がるという課題が生じていた。
【００１９】
また、維持電極と走査電極の両電極間のストレイキャパシティによる電力損失を抑えるために基板上の誘電体層と維持電極間に絶縁体層を設ける構造のＡＣ型ＰＤＰでは、確かに書込み放電を近接したデータ電極１２７と維持電極１２２間で行なうことで、ストレイキャパシティによる電力損失を抑えることは可能であるが、維持電極１２２と走査電極１２３間の距離は遠くなるので、維持電極１２２と走査電極１２３間の放電電圧が上昇するという課題が新たに生ずるほか、絶縁体層１３７の形成や誘電体層１３６の再形成に製造工程で余分の工数が必要になるという課題が生じていた。
【００２０】
本発明は、上記の課題を解決するためになされたものであり、データ電極間では充放電電力を削減し、データ電極と走査電極間には書込放電を低電圧で起こさせて安定な駆動を可能にし、品質的な問題や画質の低下を招くことなくデータ電力の削減が可能なＡＣ型ＰＤＰを実現することを目的とする。
【００２１】
【課題を解決するための手段】
上記目的を達成するために、本発明のＡＣ型ＰＤＰは、走査電極及び維持電極で対をなすストライプ状の複数の表示電極を形成するとともにその表示電極を前面側誘電体層及び保護層で覆った前面側基板と、表示電極と直交する方向に形成され、背面側誘電体層で覆われた複数のストライプ状のデータ電極を有する背面側基板とを備え、前面側基板と背面側基板とを微小な放電空間を挟んで対向配置し、かつ放電空間に放電ガスが充填されたＡＣ型ＰＤＰにおいて、背面側基板に形成されるデータ電極を覆う背面側誘電体層は、隣り合うデータ電極の間を埋めるように並行に形成される第１の誘電体層と、データ電極及び第１の誘電体層の上に形成される第２の誘電体層とを備えた構成を有している。
【００２２】
また、背面側基板上に第３の誘電体層を形成し、かつ第１の誘電体層と第３の誘電体層が同じ材料である構成、この構成に加えて、第１の誘電体層が誘電率の低い形成され、第２の誘電体層が誘電率の高い材料で形成される構成を有している。
【００２３】
これらの構成により、データ電極間には充放電電力削減のためにデータ電極間の静電容量を小さくし、データ電極と走査電極間には低電圧で書込放電が起こるようにデータ電極と走査電極間の静電容量を大きくするようにしているので無駄な電力を削減し、安定な駆動を実現することが可能になるとともに、品質的な問題や画質の低下を招くことなくデータ電力の削減を実現することができる。
【００２４】
また、上記目的を達成するために、本発明のＡＣ型ＰＤＰの製造方法は、走査電極及び維持電極で対をなすストライプ状の複数の表示電極を形成するとともにその表示電極を前面側誘電体層及び保護層で覆った前面側基板と、表示電極と直交する方向に形成され背面側誘電体層で覆われた複数のストライプ状のデータ電極を有する背面側基板とを備え、前面側基板と背面側基板とを微小な放電空間を挟んで対向配置し、かつ放電空間に放電ガスが充填されたＡＣ型ＰＤＰの製造方法において、背面側基板上に複数のストライプ状の第１の誘電体層を形成する工程と、複数のストライプ状の第１の誘電体層の間を埋めるように並行にデータ電極を形成する工程と、データ電極及び第１の誘電体層とが隣り合う両層の上に第２の誘電体層を形成する工程とを有する構成を有している。さらに、本発明のＡＣ型ＰＤＰの製造方法は、背面側基板上に第３の誘電体層を形成し、かつ第１の誘電体層と第３の誘電体層が同じ材料で形成される構成及び第１の誘電体層が誘電率の低い材料で形成され、第２の誘電体層が誘電率の高い材料で形成される構成も有している。
【００２５】
これらの構成により、ＡＣ型ＰＤＰのバックパネルの誘電体層を低誘電率誘電体層と高誘電率誘電体層の２層構造に形成できるので、データ電極間の誘電率を下げることになって無効電力を削減でき、データ電極間では充放電電力の削減が可能になる。また、データ電極−走査電極間は誘電率を上げることになって放電空間にかかる電圧が上昇し、低電圧で書込放電が起こり安定な駆動可能なＡＣ型ＰＤＰを製造することを可能にする。
【００２６】
【発明の実施の形態】
以下、本発明の実施の形態について、図面を用いて詳しく説明する。
【００２７】
（実施の形態１）
本発明の実施の形態１におけるＡＣ型ＰＤＰは図３（ａ）に示した従来の一般的なＡＣ型ＰＤＰと基本的に同様な構成、構造に基づいている。
【００２８】
本発明の実施の形態１におけるＡＣ型ＰＤＰのフロントパネルＦＰは、次のように構成されている。すなわち、ガラス基板等の透明な前面側基板２１上には、放電ギャップをあけて平行に配置された走査電極２２と維持電極２３とで対をなすストライプ状の表示電極２４が複数対形成されている。この走査電極２２及び維持電極２３は、それぞれ例えば、ＩＴＯや酸化スズ（ＳｎＯ２）等からなる透明電極２２ａ、２３ａと、この透明電極２２ａ、２３ａに電気的に接続された、例えば、銀（Ａｇ）等の厚膜や、また例えば、アルミニウム（Ａｌ）薄膜あるいはクロム／銅／クロム（Ｃｒ／Ｃｕ／Ｃｒ）等の積層薄膜によるバス電極２２ｂ、２３ｂとから構成されている。また、前面側基板２１には、複数対の表示電極２４群を覆うように、例えば、低融点ガラス等からなる誘電体層２６が形成され、その誘電体層２６上には、例えば、酸化マグネシウム（ＭｇＯ）からなる保護層２５が形成され、これらによりフロントパネルＦＰが構成されている。上述のフロントパネルＦＰの構成は図３（ａ）に示した従来のＡＣ型ＰＤＰと全く同じ構成である。
【００２９】
また、前面側基板２１に対向配置される背面側基板２９上には、前面側基板２１上の走査電極２２及び維持電極２３の表示電極２４と直交する方向に、誘電体層３３で覆われた複数のストライプ状のデータ電極２７が形成されている。このデータ電極２７間の誘電体層３３上には、データ電極２７と平行にストライプ状の複数の隔壁２８が配置され、この隔壁２８間の側面及び誘電体層３３の表面に蛍光体層３０、３１、３２が設けられ、これによりバックパネルＢＰが構成されている。上述のバックパネルＢＰの構成は、基本的に図３（ａ）に示した従来のＡＣ型ＰＤＰと同じ構成である。
【００３０】
これらのフロントパネルＦＰとバックパネルＢＰとは、走査電極２２及び維持電極２３からなる表示電極２４とデータ電極２７とが直交するように、微小な放電空間３５を挟んで対向配置されるとともに、周囲が封止され、そして放電空間３５には、放電ガスとして、例えば、ネオン（Ｎｅ）とキセノン（Ｘｅ）の混合ガスがが充填されている。本発明の実施の形態では、放電ガスはおよそ６６．５ｋＰａ（５００Ｔｏｒｒ）の圧力で充填した。なお、放電ガスの種類、充填圧は、ここに示した例に限定されるものではない。また、放電空間３５は、隔壁２８によって複数の区画に仕切ることにより、表示電極２４とデータ電極２７との交点が位置する複数の放電セルが設けられ、その各放電セルには、放電による紫外線で赤色、緑色及び青色にそれぞれ励起、発光する蛍光体層３０、３１、３２が一色ずつ順次配置されて、ＰＤＰパネルを構成している。そして、電極間に数十ｋＨｚ〜数百ｋＨｚのＡＣ電圧を印加して放電空間に放電を発生させ、励起された放電ガス中のキセノン（Ｘｅ）原子からの紫外線によって蛍光体層３０、３１、３２を励起することにより可視光を発生させて表示動作を行う。駆動回路の制御のに基づき、所定の表示画像を得ることができる。
【００３１】
しかしながら、本発明におけるＡＣ型ＰＤＰの構成は、図３（ａ）に示した従来のＡＣ型ＰＤＰの構成と大きく異なるところがある。すなわち、データ電極２７及びその周囲に形成する誘電体層の配置ならびに構造において大きく異なっている。
【００３２】
以下、本発明のＡＣ型ＰＤＰの特徴について、図１に示す本発明の実施の形態１におけるＡＣ型ＰＤＰの背面側基板の構造を示す拡大断面図を用いて説明する。なお図１中で図３（ａ）に示した一般的な従来のＡＣ型ＰＤＰと同じ構成要素には同じ符号を付している。
【００３３】
図１において、前面側基板に対向配置される背面側基板２９上には、前面側基板上の走査電極及び維持電極の表示電極と直交する方向に（前面側基板ならびにその上に形成される電極等は、いずれも図１には表示せず）、第１の誘電体層となる複数のストライプ状の低誘電率誘電体層３３ａが形成されている。低誘電率誘電体層３３ａに並行にデータ電極２７がストライプ状に隣り合う低誘電率誘電体層３３ａの間を埋めるように形成されている。これらの互いに並行にストライプ状に形成されたデータ電極２７と低誘電率誘電体層３３ａとで形成された層の上には、第２の誘電体層となる高誘電率誘電体層３３ｂが形成されている。そして、下層に低誘電率誘電体層３３ａがある部分にあり、かつ、高誘電率誘電体層３３ｂ上には、データ電極２７及び低誘電率誘電体層３３ａと並行にストライプ状に複数の隔壁２８が配置され、この隔壁２８間の側面及び高誘電率誘電体層３３ｂの表面に蛍光体層３０、３１、３２が設けられ、これらによりバックパネルＢＰが構成されている。
【００３４】
次に、低誘電率誘電体層３３ａ及びデータ電極２７と高誘電率誘電体層３３ｂの形成方法について説明する。まず、背面側基板２９上にストライプ状に複数並行する低誘電率誘電体層３３ａを周知のスクリーン印刷法（厚膜印刷法ともいう）により印刷形成する。この低誘電率誘電体層３３ａに並行にデータ電極２７を隣り合う低誘電率誘電体層３３ａの間を埋めるようにストライプ状に周知のスクリーン印刷法により同様に印刷形成する。なお、データ電極２７の高さ（あるいは厚さ）は低誘電率誘電体層３３ａの高さ（あるいは厚さ）とほぼ同じであることが望ましい。その後、これらの互いに並行にストライプ状に形成されたデータ電極２７と低誘電率誘電体層３３ａとで形成された層の上に、高誘電率誘電体層３３ｂを上記の周知のスクリーン印刷法により再び同様に印刷形成する。このようにして低誘電率誘電体層３３ａ及びデータ電極２７と高誘電率誘電体層３３ｂとを印刷形成した背面側基板２９を焼成用の炉で周知の手順により、焼成を行う。
【００３５】
スクリーン印刷法で形成する誘電体層の材料として用いるインクあるいはペーストには、焼成することによってガラス焼結体（誘電体層）となるもので、含有されるガラス粉末としては、例えばＺｎＯ−Ｂ２Ｏ３−ＳｉＯ２系の混合物、ＰｂＯ−Ｂ２Ｏ３−ＳｉＯ２系の混合物、ＰｂＯ−Ｂ２Ｏ３−ＳｉＯ２−Ａｌ２Ｏ３系の混合物、ＰｂＯ−ＺｎＯ−Ｂ２Ｏ３−ＳｉＯ２系、Ｂｉ２Ｏ３−Ｂ２Ｏ３−ＳｉＯ２系の混合物などを用いることができる。ここで挙げた材料の誘電率としては、ＺｎＯ−Ｂ２Ｏ３−ＳｉＯ２系ガラスが最も低く、次いでＰｂＯ−Ｂ２Ｏ３−ＳｉＯ２系、Ｂｉ２Ｏ３−Ｂ２Ｏ３−ＳｉＯ２系が続く。本発明の実施の形態におけるＡＣ型ＰＤＰのバックパネルＢＰには、ＺｎＯ−Ｂ２Ｏ３−ＳｉＯ２系混合物のガラス粉末を含む材料で低誘電率誘電体層３３ａを形成し、Ｂｉ２Ｏ３−Ｂ２Ｏ３−ＳｉＯ２系混合物のガラス粉末を含む材料で高誘電率誘電体層３３ｂを形成しているが、この例に限定されるものではなく、低誘電率誘電体層３３ａと高誘電率誘電体層３３ｂとのそれぞれの材料の誘電率の差が大きくなるように誘電体材料を選定することが望ましい。また、データ電極２７は、銀（Ａｇ）またはニッケル（Ｎｉ）を含む厚膜電極用インクあるいはペースト材料を用いて、周知のスクリーン印刷法により印刷形成している。
【００３６】
なお、上述の低誘電率誘電体層３３ａ及びデータ電極２７と高誘電率誘電体層３３ｂはスクリーン印刷法により印刷形成する例を説明したが、本発明のＡＣ型ＰＤＰにおいては、これに限定されるものではなく、例えば、紫外線感光性樹脂を含んだ誘電体シートまたは電極シートを周知のフォトリソ技術を利用して、露光現像によりパターニング形成を行うことも可能である。
【００３７】
また、上述の説明では、背面側基板２９上に直接データ電極２７を形成しているが、図２の本発明の実施の形態１におけるＡＣ型ＰＤＰの背面側基板の別の構造を示す拡大断面図のように、背面側基板２９とデータ電極２７の間に低誘電率誘電体層３３ｃを形成し、その上にさらに低誘電率誘電体層３３ａ及びデータ電極２７を形成する構成であっても良い。この構成においても、低誘電率誘電体層３３ａ及びデータ電極２７と高誘電率誘電体層３３ｂの形成方法は上述のようなスクリーン印刷法による印刷形成、またはフォトリソ技術を利用した露光現像によるパターニング形成を利用できる。
【００３８】
このように、バックパネルＢＰの誘電体層を低誘電率誘電体層３３ａと高誘電率誘電体層３３ｂの２層構造にすることは、データ電極間の誘電率を下げることにより、電極間容量が減少すると考えられ、これによりデータ電極の無効電力を下げることが可能になる。すなわち、誘電率ε、厚さｄ、面積Ｓの誘電体に周波数ｆの交流電圧Ｖを印加するとき、無効電力Ｐは、次式で表され、
Ｐ＝ＣＶ２ｆ
但し、Ｃは誘電体の容量で、
Ｃ＝εＳ／ｄ
であるので、電力Ｐは誘電率εに比例することになる。したがって、このことはデータ電極間の誘電率εを下げることで無効電力Ｐ下がり、データ電極間の電力を削減できることを示している。また、逆に、データ電極−走査電極間は誘電率εを上げることで、放電空間にかかる電圧が上昇し、低電圧での放電が可能になることになる。
【００３９】
実際に、誘電率が５の材料を低誘電率誘電体層３３ａに、誘電率が１０の材料を高誘電率誘電体層３３ｂに用いて形成したバックパネルＢＰを有するＡＣ型ＰＤＰにより駆動実験を行った例では、図１に示す構成のバックパネルＢＰを用いた場合、駆動して画像を表示させるときに、表示面のほぼ５０％の面積が表示されるいわゆる市松パターン（チェッカーボードパターンともいう）において、バックパネルＢＰに単一の誘電体層３３が形成されている従来のＡＣ型ＰＤＰに比べ電力で約４０％削減するという結果が得られている。
【００４０】
以上説明したように、本発明の実施の形態におけるＡＣ型ＰＤＰでは、バックパネルＢＰの誘電体層を低誘電率誘電体層と高誘電率誘電体層の２層構造にすることにより、データ電極間の誘電率εを下げることになって無効電力が下がり、データ電極間では充放電電力の削減が可能になる。また、データ電極−走査電極間は誘電率εを上げることになって放電空間にかかる電圧が上昇し、低電圧で書込放電が起こり安定な駆動を実現することが可能になる。
【００４１】
【発明の効果】
以上のように本発明によれば、ＡＣ型ＰＤＰのバックパネルＢＰの誘電体層を低誘電率誘電体層と高誘電率誘電体層の２層構造にしており、ＡＣ型ＰＤＰのバックパネルのデータ電極間の誘電率が下がって無効電力が減少し、データ電極間では充放電電力の削減が可能になり、また、データ電極−走査電極間は誘電率が上がって放電空間にかかる電圧が上昇し、低電圧で書込放電が起こり安定な駆動を実現することが可能になるので、品質的な問題や画質の低下を招くことなくデータ電力の削減が可能なＡＣ型ＰＤＰを実現することができる。
【図面の簡単な説明】
【図１】本発明の実施の形態におけるＡＣ型ＰＤＰの背面側基板の構造を示す拡大断面図
【図２】本発明の実施の形態におけるＡＣ型ＰＤＰの背面側基板の別の構造を示す拡大断面図
【図３】（ａ）は従来のＡＣ型ＰＤＰのパネル構造を説明する部分破断斜視図
（ｂ）は従来のＡＣ型ＰＤＰの電極配列図
【図４】従来のＡＣ型ＰＤＰを駆動するためのタイミングチャート
【図５】従来のＡＣ型ＰＤＰの別のパネル構造を説明する部分破断斜視図
【符号の説明】
ＢＰ  バックパネル
ＦＰ  フロントパネル
２１  前面側基板
２２  走査電極
２３  維持電極
２２ａ，２２ｂ  透明電極
２３ａ，２３ｂ  バス電極
２４  表示電極
２５  保護層
２６，３３  誘電体層
２７  データ電極
２８  隔壁
２９  背面側基板
３０，３１，３２  蛍光体
３５  放電空間
３３ａ  低誘電率誘電体層
３３ｂ  高誘電率誘電体層
【図１】
2005019011.tif 000003
【図２】
2005019011.tif 000004
【図３】
2005019011.tif 000005
【図４】
2005019011.tif 000006
【図５】
2005019011.tif 000007